【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
電子機器のバッテリパック収納部に装着された状態で使用されるものであって、ケース内にバッテリが内蔵され、かつ、このバッテリに電気的に接続された出力端子がケース外に臨んで設けられたバッテリパックにおいて、
前記ケースは、前記バッテリを内蔵した略矩形箱状の本体部と、この本体部の一つの面に一体的に形成された出力部とを含んで構成され、
前記本体部の外表面を構成する６つの面のうち、前記出力部が形成された出力部形成面に対して直交するいずれか一つの面を前記電子機器への装着基準面とし、
前記出力部は、前記本体部の出力部形成面において、片側の角部に片寄って設けられているとともに、前記装着基準面を含む仮想平面に対して、この仮想平面から直交する方向に空間を隔てて設けられた段差部を有し、この段差部に前記出力端子が設けられ、
前記本体部の出力部形成面において、前記出力部と他の片側の角部との間に取出用指掛部が前記出力部から前記装着基準面とは反対側の面縁に沿って突出して設けられ、この取出用指掛部が隣接する前記出力部の側面が前記出力部形成面から離れる方向に向かうに従って前記出力部の反対側の側面に接近する方向へ傾斜する斜面に形成され、
前記本体部の出力部形成面とは反対側面には、バッテリパックが前記電子機器に装着された際に前記バッテリパック収納部に形成された係止溝に係合される２つの第１係合部が前記取出用指掛部を中心として略等距離離れた位置に突出して設けられているとともに、
前記本体部の出力部形成面には、バッテリパックが電子機器に装着された際に前記バッテリパック収納部に形成された係止溝に係合される第２係合部が前記取出用指掛部と前記装着基準面との間に突出して設けられ、この第２係合部は、前記取出用指掛部に前記本体部の出力部形成面とは反対側面方向へ力が作用したとき、前記バッテリパック収納部に形成された係止溝から外れることを特徴とするバッテリパック。
【請求項２】
請求項１に記載のバッテリパックにおいて、
前記取出用指掛部の中央部分には前記装着基準面側に溝部が形成され、
この溝部と前記装着基準面との間に前記第２係合部が設けられていることを特徴とするバッテリパック。
【請求項３】
請求項１または請求項２に記載のバッテリパックにおいて、
前記第１係合部は、前記ケースの面から突出し前記装着基準面と略平行な係止面を有する係合突起部によって形成され、
前記第２係合部は、前記ケースの面から突出し前記装着基準面と略平行な係止面を有するとともに、この係止面先端から前記装着基準面へ向かうに従ってケース外表面に徐々に接近する傾斜面を有する係合突起部によって形成されていることを特徴とするバッテリパック。
【請求項４】
前記請求項１〜請求項３のいずれかに記載のバッテリパックを収納するバッテリパック収納部を有することを特徴とする電子機器。
【手続補正２】
【補正対象書類名】明細書
【補正対象項目名】０００７
【補正方法】変更
【補正の内容】
【０００７】
本発明のバッテリパックは、電子機器のバッテリパック収納部に装着された状態で使用されるものであって、ケース内にバッテリが内蔵され、かつ、このバッテリに電気的に接続された出力端子がケース外に臨んで設けられたバッテリパックにおいて、
前記ケースは、前記バッテリを内蔵した略矩形箱状の本体部と、この本体部の一つの面に一体的に形成された出力部とを含んで構成され、
前記本体部の外表面を構成する６つの面のうち、前記出力部が形成された出力部形成面に対して直交するいずれか一つの面を前記電子機器への装着基準面とし、
前記出力部は、前記本体部の出力部形成面において、片側の角部に片寄って設けられているとともに、前記装着基準面を含む仮想平面に対して、この仮想平面から直交する方向に空間を隔てて設けられた段差部を有し、この段差部に前記出力端子が設けられ、
前記本体部の出力部形成面において、前記出力部と他の片側の角部との間に取出用指掛部が前記出力部から前記装着基準面とは反対側の面縁に沿って突出して設けられ、この取出用指掛部が隣接する前記出力部の側面が前記出力部形成面から離れる方向に向かうに従って前記出力部の反対側の側面に接近する方向へ傾斜する斜面に形成され、
前記本体部の出力部形成面とは反対側面には、バッテリパックが前記電子機器に装着された際に前記バッテリパック収納部に形成された係止溝に係合される２つの第１係合部が前記取出用指掛部を中心として略等距離離れた位置に突出して設けられているとともに、
前記本体部の出力部形成面には、バッテリパックが電子機器に装着された際に前記バッテリパック収納部に形成された係止溝に係合される第２係合部が前記取出用指掛部と前記装着基準面との間に突出して設けられ、この第２係合部は、前記取出用指掛部に前記本体部の出力部形成面とは反対側面方向へ力が作用したとき、前記バッテリパック収納部に形成された係止溝から外れることを特徴とする。
ここで、出力端子がケース外へ臨むとは、出力端子がケース外に露出して設けられる場合のほかに、ケースに形成した開口の内部に設けられる場合を含む意味である。
また、前記取出用指掛部の中央部分には前記装着基準面側に溝部が形成され、この溝部と前記装着基準面との間に前記第２係合部が設けられていることが好ましい。
【手続補正３】
【補正対象書類名】明細書
【補正対象項目名】０００９
【補正方法】変更
【補正の内容】
【０００９】
また、前記ケースは、前記バッテリを内蔵した略矩形箱状の本体部と、この本体部の一つの面に一体的に形成され前記出力端子を有する出力部とを含んで構成されているから、つまり、全体として略矩形箱状であるから、携帯時に取り扱いやすいうえ、電子機器への収納スペースも少なくて済む。
【手続補正４】
【補正対象書類名】明細書
【補正対象項目名】００１０
【補正方法】変更
【補正の内容】
【００１０】
また、前記出力部は、前記本体部の出力部形成面において、片側の角部に片寄って設けられているから、本体部の出力部形成面において、出力部と他の片側の角部との間に、バッテリパックを電子機器に装着した際に、バッテリパックを電子機器に固定するための係合部や、バッテリパックを電子機器から取り出すための指掛部などを形成することができる。
また、本発明において、前記本体部の出力部形成面において、前記出力部と他の片側の角部との間に取出用指掛部が前記出力部から前記装着基準面とは反対側の面縁に沿って突出して設けられ、前記本体部の出力部形成面とは反対側面には、バッテリパックが前記電子機器に装着された際に前記バッテリパック収納部に形成された係止溝に係合される２つの第１係合部が前記取出用指掛部を中心として略等距離離れた位置に設けられているから、バッテリパックを電子機器のバッテリパック収納部から取り出すには、取出用指掛部に指を掛けて取り出すことができるから、簡単に取り出し操作できる。その際、２つの第１係合部が取出用指掛部を中心として略等距離離れた位置に設けられているから、バッテリパックを傾かせることなく起立させることができる。従って、取り出し操作が簡単にできる。
また、取出用指掛部が隣接する出力部の側面が出力部形成面から離れる方向に向かうに従って他の側面に接近する方向へ傾斜する斜辺に形成されている。
また、前記本体部の出力部形成面には、バッテリパックが電子機器に装着された際に電子機器に係合される第２係合部が前記取出用指掛部と前記装着基準面との間に設けられているから、つまり、ケースの対向する両側面に係合部がそれぞれ設けられているから、電子機器にバッテリパックを安定して保持させることができる。
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明の電子機器は、上記いずれかに記載のバッテリパックを収納するバッテリパック収納部を有することを特徴とする。
【手続補正８】
【補正対象書類名】明細書
【補正対象項目名】００１５
【補正方法】変更
【補正の内容】
【００１５】
本発明によれば、バッテリパックを電子機器のバッテリパック収納部に収納する際、出力端子側とは反対側の端部をバッテリ収納部に斜めに差し込み、第１係合部を電子機器のバッテリパック収納部の係止溝に係合させたのち、その差込端部を支点として出力端子側の端部を徐々に水平に倒していくと、第２係合部の傾斜面が電子機器のバッテリパック収納部の壁に当接しながら挿入されていく。第２係合部の係止面がバッテリパック収納部の係止溝に達すると、係止面が係止溝に挿入された状態で固定される。従って、バッテリパックの一端を斜めに差し込み、他端を水平に倒しながら収納部に挿入していくだけで、バッテリパックを電子機器のバッテリパック収納部内に収納させることができるから、簡単に装着でき、装着後は安定して保持させることができる。
【手続補正９】
【補正対象書類名】明細書
【補正対象項目名】００３７
【補正方法】削除
【補正の内容】
【手続補正１０】
【補正対象書類名】明細書
【補正対象項目名】００４０
【補正方法】変更
【補正の内容】
【００４０】
【図１】本発明の一実施形態に係るエンタテインメント装置の正面側斜視図。
【図２】前記実施形態のエンタテインメント装置の裏面側斜視図。
【図３】前記実施形態のバッテリパックを反出力端子側から見た斜視図。
【図４】前記実施形態のバッテリパックを出力端子側から見た斜視図。
【図５】前記実施形態のバッテリパックの底面図。
【図６】前記実施形態のバッテリパック収納部の斜視図。
【図７】前記実施形態のバッテリパック収納部の断面図。
【図８】前記実施形態のバッテリパック収納部の一部を切り欠いた平面図。
【手続補正１１】
【補正対象書類名】図面
【補正対象項目名】図９
【補正方法】削除
【補正の内容】
【手続補正１２】
【補正対象書類名】図面
【補正対象項目名】図１０
【補正方法】削除
【補正の内容】
【手続補正１３】
【補正対象書類名】図面
【補正対象項目名】図１１
【補正方法】削除
【補正の内容】
【手続補正１４】
【補正対象書類名】図面
【補正対象項目名】図１２
【補正方法】削除
【補正の内容】